(57)【要約】【課題】給湯システムの配管容量が予め設定されていない場合であっても、利用者が給湯システムを実際に利用する前に、混合器から加熱部までの配管容量を導出することができる給湯システムを提供する。【解決手段】給湯システム１０は、混合器２４の出口近傍の水温を検出する混合サーミスタ２７ａとバーナ熱交換器５１近傍の水温を検出する出湯サーミスタ５６とを備えている。コントローラ１１のＲＯＭには、施工時に実施する試運転プログラムが記憶されている。試運転プログラムでは、（１）混合器２４の混合比を変化させ、（２）混合サーミスタ２７ａの検出水温が所定温度に達する時期と出湯サーミスタ５６の検出水温が所定温度に達する時期との時間差を特定し、（３）混合水の流量を特定し、（４）時間差と流量から混合器２４の出口近傍からバーナ熱交換器５１近傍までの配管容量を導出する。【選択図】図１
2011185564.tif 000002
【特許請求の範囲】
【請求項１】
貯湯槽と、
その貯湯槽から流出した貯水と水道水とを混合する混合器と、
その混合器から流出した混合水を加熱する加熱部と、
前記混合器の出口近傍の水温を検出する第１検出手段と、
前記加熱部の近傍の水温を検出する第２検出手段と、
試運転プログラムを記憶している記憶手段と、
その試運転プログラムを実行する制御手段とを備えており、
その試運転プログラムが、
（１）前記混合器の混合比を変化させ、
（２）前記第１検出手段によって検出される水温が所定温度に達する時期と前記第２検出手段によって検出される水温が前記所定温度に達する時期との時間差を特定し、
（３）前記混合水の流量を特定し、
（４）前記時間差と前記流量から、前記混合器の出口近傍から前記加熱部の近傍までの配管容量を導出する処理を含んでいることを特徴とする給湯システム。
【請求項２】
前記試運転プログラムが、前記混合器の混合比を、貯水：水道水を０：１とする冷水モードと、混合水の温度が給湯設定温度に等しくなる混合比とする温水モードとの間で繰り返し切り換えることを特徴とする請求項１に記載の給湯システム。
【請求項３】
前記所定温度が、前記水道水の温度と前記給湯設定温度との間の温度に設定されていることを特徴とする請求項２に記載の給湯システム。
【請求項４】
前記試運転プログラムが、前記第２検出手段によって検出される水温が安定したことを条件に、前記冷水モードと前記温水モードの間で切り換えることを特徴とする請求項２又は３に記載の給湯システム。
【請求項５】
前記試運転プログラムが、前記第１検出手段及び前記第２検出手段によって検出される水温が昇温する際の前記時間差に基づいて前記配管容量を導出する処理と、導出された昇温時配管容量を記憶しておく処理を含んでおり、
給湯利用運転時の制御プログラムが、記憶されている昇温時配管容量を読み出し、読み出された昇温時配管容量に基づいて前記加熱部の加熱停止時期を決定する処理を含んでいることを特徴とする請求項１〜４の何れか１項に記載の給湯システム。
【請求項６】
前記試運転プログラムが、前記第１検出手段及び前記第２検出手段によって検出される水温が降下する際の前記時間差に基づいて前記配管容量を導出する処理と、導出された降温時配管容量を記憶しておく処理を含んでおり、
給湯利用運転時の制御プログラムが、記憶されている降温時配管容量を読み出し、読み出された降温時配管容量に基づいて前記加熱部の加熱開始時期を決定する処理を含んでいることを特徴とする請求項１〜５の何れか１項に記載の給湯システム。
【請求項７】
前記試運転プログラムでは、混合水の流量をシャワー流量に設定することを特徴とする請求項１〜６の何れか１項に記載の給湯システム。
【発明の詳細な説明】
【技術分野】
【０００１】
本発明は、給湯システムに関する。
【背景技術】
【０００２】
特許文献１に開示されている給湯システムは、発電ユニットと貯湯槽と混合器と給湯器とを備えている。この給湯システムでは、発電ユニットと貯湯槽が循環経路で接続されており、発電ユニットの発電熱によって加熱された温水が貯湯槽に貯湯される。貯湯槽に貯湯されている温水は混合器に供給され、混合器で水道水と混合されて温度調節される。
【０００３】
貯湯槽から供給される温水が給湯設定温度以上である場合には、貯湯槽から供給される温水と水道水が給湯設定温度となるように混合され、混合後の温水が給湯器を通過して給湯される。貯湯槽から供給される温水が給湯設定温度未満である場合には、給湯器の加熱部が加熱運転し、給湯器で加熱した温水が給湯される。給湯器の加熱量には最低加熱量が存在し、最低温度上昇幅が存在する。そこで、貯湯槽から供給される温水が給湯設定温度未満となると、混合器で混合した後の温水の温度が給湯設定温度から最低温度上昇幅を減じた温度となるように混合し（すなわち混合器の出口温度を低下させる）、給湯器の加熱部が加熱運転を開始する。その結果、給湯器から給湯設定温度に加熱された温水が給湯される。
【０００４】
この給湯システムでは、混合器によって温度を低下させた混合水が給湯器の加熱部にまで移動したはずのタイミングで加熱運転を開始させる。すなわち、混合器によって温度を低下させた後の給湯量が、混合器から加熱部までの配管容量に等しくなったタイミングで加熱運転を開始する。なお実際には、加熱運転の開始指令から実際に加熱し始めるまでに準備期間を要するので、この準備期間をも考慮して加熱運転の開始指令を出力する。これにより、給湯中に貯湯槽に貯湯しておいた温水を消費しつくした場合にも、給湯設定温度に調温された温水を給湯し続けることができる。
【先行技術文献】
【特許文献】
【０００５】
【特許文献１】特開２００５−２７４０５５号公報
【発明の概要】
【発明が解決しようとする課題】
【０００６】
従来の給湯システムでは、貯湯槽と混合器と給湯器が予め一体化されており、混合器から加熱部までの配管容量が予め定まっている。したがって、既知の配管容量に基づいて、加熱運転の開始指令の出力時期を決定することができる。しかしながら、混合器と給湯器を施工現場で接続する場合には、混合器から加熱部までの配管容量を導出することが必要となる。
特許文献１には、貯湯槽の温水を利用して給湯する際に、混合器出口の水温が給湯設定温度の近似値に達してから加熱部の出口の水温がこの近似値に達するまでに要した期間と、水の流量とに基づいて、混合器出口から加熱部の出口までの配管容量を求める技術が開示されている。この方法では、利用者が実際に利用してみないことには、配管容量を把握することができないため、それまでの間は配管容量を利用して加熱運転の開始時期を決定することができない。
【０００７】
本発明は、こうした実情に鑑みてなされたものであり、その目的は、給湯システムの配管容量が予め設定されていない場合であっても、利用者が給湯システムを実際に利用する前に、混合器から加熱部までの配管容量を導出することができる給湯システムを提供することにある。
【課題を解決するための手段】
【０００８】
本発明の給湯システムは、貯湯槽と混合器と加熱部とを備えている。混合器は、貯湯槽から流出した貯水と水道水とを混合する。加熱部は、混合器から流出した混合水を加熱する。この給湯システムは、さらに、混合器の出口近傍の水温を検出する第１検出手段と、加熱部の近傍の水温を検出する第２検出手段と、試運転プログラムを記憶している記憶手段と、試運転プログラムを実行する制御手段とを備えている。
試運転プログラムは、
（１）混合器の混合比を変化させ、
（２）第１検出手段によって検出される水温が所定温度に達する時期と第２検出手段によって検出される水温がその所定温度に達する時期との時間差を特定し、
（３）混合水の流量を特定し、
（４）前記（２）で特定した時間差と前記（４）で特定した流量から、混合器の出口近傍から加熱部の近傍までの配管容量を導出する処理を含んでいる。
加熱部は給湯器に含まれているものであってもよいし、専用に設計されたものであってもよい。加熱部の近傍とは、加熱部の入口近傍であってもよいし、加熱部の中間位置であってもよいし、出口近傍であってもよい。耐熱措置を講じることによって加熱部の中間位置に温度検出手段を設置することもできる。混合水とは混合器から流出する水をいい、温水である場合もあれば冷水であることもあり、全水量が貯水であって水道水が混合されていないこともある。
【０００９】
上記構成によれば、試運転の際に、混合器の出口近傍から加熱部の近傍までの配管容量が導出される。その配管容量が予め設定されていない場合であっても、利用者が給湯システムを利用するのに先立って、混合器の出口近傍から加熱部の近傍までの配管容量を導出することができる。したがって、利用者が給湯システムを利用する際には、既に導出されている配管容量に基づいて加熱部の加熱運転の開始時期の決定等を行うことができる。
特に、施工現場で混合器と給湯器とを接続して給湯システムを構築する場合には、混合器の出口近傍から加熱部近傍までの配管容量を把握することが難しい。したがって、上記構成によって配管容量を導出することが有効である。
【００１０】
給湯システムの試運転プログラムでは、混合器の混合比を、貯水：水道水を０：１とする冷水モードと、混合水の温度が給湯設定温度に等しくなる混合比とする温水モードとの間で繰り返し切り換えることが好ましい。
上記構成では、各検出手段によって検出される水温を大きく変化させることができる。したがって、各検出手段によって検出される水温が所定温度になった時期をより正確に特定することができるため、各検出手段によって検出される水温が所定温度に達する際の時間差をより正確に特定することができる。その結果、配管容量をより正確に導出することができる。
【００１１】
冷水モードから温水モードへ切り換えることによって、各検出手段が検出する水温が昇温する際の上記時間差に基づいて配管容量を導出するようにしてもよい。あるいは、温水モードから冷水モードへ切り換えることによって、各検出手段が検出する水温が降下する際の上記時間差に基づいて配管容量を導出するようにしてもよい。双方の条件で配管容量を導出し、導出された２種類の配管容量を制御の局面にあわせて選択するようにしてもよい。あるいは、水温上昇時の時間差と水温降下時の時間差の平均値を利用して配管容量を導出してもよい。
【００１２】
試運転プログラムで温水モードと冷水モードが交互に繰り返される場合には、水道水の温度と給湯設定温度との間に前記した所定温度が設定されていることが好ましい。
上記構成では、各検出手段が検出する水温が、水道水の温度から給湯設定温度にまで昇温する過渡期、又は給湯設定温度から水道水の温度にまで降下する過渡期に所定温度に達する。過渡期には単位時間あたりの水温変化が大きいので、各検出手段で検出される水温が所定温度に達した時期を、より正確に特定することができる。そのために、各検出手段によって検出される水温が所定温度に達する時期の時間差をより正確に特定することができる。したがって、配管容量をより正確に導出することができる。
【００１３】
第２検出手段によって検出される水温が安定したことを条件に、冷水モードから温水モードに切り換え、第２検出手段によって検出される水温が再び安定したことを条件に、温水モードから冷水モードに切り換えることが好ましい。
上記構成では、第２検出手段によって検出される水温が安定してからモードが切り換えられるため、第１検出手段及び第２検出手段によって検出される水温が所定温度に達するまでに要する期間が安定化する。したがって、各検出手段によって検出される水温が所定温度に達する時期の時間差をより正確に特定することができる。
【００１４】
試運転プログラムが、第１検出手段及び第２検出手段によって検出される水温が昇温する際の上記時間差に基づいて配管容量を導出する処理と、導出された昇温時配管容量を記憶しておく処理を含んでおり、給湯利用運転時の制御プログラムが、記憶されている昇温時配管容量を読み出し、読み出された昇温時配管容量に基づいて加熱部の加熱停止時期を決定する処理を含んでいることが好ましい。
混合器から流出する混合水の温度が給湯設定温度よりも低い場合、混合器から流出した混合水が加熱部を流れる際に加熱されて給湯される。混合器から流出する混合水の温度が上昇して給湯設定温度に達すると、給湯にあたって混合水を加熱する必要がないため、加熱部の加熱が停止される。上記構成では、各検出手段によって検出される水温が上昇する際に配管容量を導出するため、運転中の加熱部を停止する状況と類似する状況で配管容量を導出することができる。したがって、この配管容量を用いて加熱停止時期を決定することで、加熱部の加熱停止時期をより適切に決定することができる。
【００１５】
試運転プログラムが、第１検出手段及び第２検出手段によって検出される水温が降下する際の上記時間差に基づいて配管容量を導出する処理と、導出された降温時配管容量を記憶しておく処理を含んでおり、給湯利用運転時の制御プログラムが、記憶されている降温時配管容量を読み出し、読み出された降温時配管容量に基づいて加熱部の加熱開始時期が決定する処理を含んでいることが好ましい。
混合器から流出する混合水の温度が給湯設定温度よりも高い場合、混合器から流出した混合水が加熱部で加熱されることなく、そのまま給湯される。混合器から流出する混合水の温度が低下して給湯設定温度よりも低くなると、給湯にあたって混合水を加熱する必要があるため、加熱部の加熱が開始される。上記構成では、混合器から流出する混合水の温度が降下する際に配管容量を導出するため、加熱部での加熱を開始する状況と類似する状況で配管容量を導出することができる。したがって、この配管容量を用いて加熱開始時期を決定することで、加熱部の加熱開始時期をより適切に決定することができる。
【００１６】
試運転プログラムでは、混合水の流量をシャワー流量に設定することが好ましい。
シャワー利用時には、給湯温度が安定していることが特に強く要求される。上記構成では、給湯温度の安定が特に強く要求されるシャワー利用時と同じ流量の水を通水することによって配管容量を導出することができる。シャワー利用時の流量で導出された配管容量に基づいて加熱部の加熱開始時期や停止時期を決定すれば、給湯温度の安定が特に強く要求されるシャワー利用時における給湯温度を安定させることができる。
【発明の効果】
【００１７】
本発明の給湯システムによれば、給湯システムの配管容量が予め設定されていない場合であっても、利用者が給湯システムを実際に利用する前に、混合器から加熱部までの配管容量を導出することができる。施工現場で混合器と給湯器とを接続して給湯システムを構築する場合には、特に有効である。
【図面の簡単な説明】
【００１８】
【図１】実施例１の給湯システムの系統図。
【図２】実施例１の試運転プログラムの実行手順を示すフローチャート。
【図３】実施例１の試運転プログラムの初期条件設定の実行手順を示すフローチャート。
【図４】実施例１の試運転プログラムの温水モードの実行手順を示すフローチャート。
【図５】実施例１の試運転プログラムの冷水モードの実行手順を示すフローチャート。
【図６】実施例１の混合サーミスタと出湯サーミスタの検出水温を示すタイミングチャート。
【図７】実施例２の試運転プログラムの実行手順を示すフローチャート。
【発明を実施するための形態】
【００１９】
以下に説明する実施例の技術的特徴を列記する。
（特徴１）給湯システムでは、温水モードから冷水モードへの切り換えと、冷水モードから温水モードへの切り換えの各々が複数回実行され、複数回実行される温水モードから冷水モードへの切り換えの際に、降温時配管容量が導出され、複数回実行される冷水モードから温水モードへの切り換えの際に、昇温時配管容量が導出される。
（特徴２）給湯システムでは、温水モードと冷水モードとの切り換えが複数回実行され、複数回実行される温水モードでの給湯設定温度Ｔｈが複数の温度に設定されている。
（特徴３）給湯システムは、試運転を実行するためのスイッチと、試運転実行中であることを示す表示手段とを備えている。
【実施例１】
【００２０】
本発明の給湯システムを具現化した実施例１を、図１〜図６を参照して説明する。図１は給湯システム１０の系統図であり、水及び熱媒の流れを矢印で示している。図１に示すように、給湯システム１０は、貯湯ユニット２０とヒートポンプユニット４０と給湯ユニット５０とコントローラ１１とを備えている。この給湯システム１０は、施工時に別体の各ユニット２０，５０，４０を接続することによって構築される。
【００２１】
ヒートポンプユニット４０では、圧縮機４１の吐出側と四方弁４２と第１熱交換器４３の熱媒流路４３ａ及び膨張弁４４及び第２熱交換器４５と圧縮機４１の戻り側が、熱媒配管４６によって順に接続されており、熱媒がこの順に循環する。第１熱交換器４３は、上記熱媒流路４３ａと循環水流路４３ｂとを備えている。第２熱交換器４５の近傍にはファン４５ａが設置されている。第２熱交換器４５は、ファン４５ａによって送られる外気と熱交換を行う。熱媒配管４６には、圧縮機４１の吐出側と四方弁４２との間と、膨張弁４４と第２熱交換器４５との間に除霜経路４７が接続されている。除霜経路４７には、除霜弁４７ａが設けられている。第１熱交換器４３の循環水流路４３ｂの入口側には循環往路接続経路４８が接続されており、出口側には循環復路接続経路４９が接続されている。循環往路接続経路４８には、入口側サーミスタ４８ａが設けられており、循環復路接続経路４９には出口側サーミスタ４９ａが設けられている。入口側サーミスタ４８ａは、循環水流路４３ｂに流入する循環水の温度を検出し、出口側サーミスタ４９ａは、循環水流路４３ｂから流出する循環水の温度を検出する。なお実際には、各サーミスタ４８ａ，４９ａは水温に応じた検出信号を出力し、この信号がコントローラ１１に入力されることにより水温が検出される。以下においても、サーミスタやセンサが検出するという表現は、実際には、これらの検出信号がコントローラ１１に入力されることにより温度や水の流量を検出することを意味する。
【００２２】
貯湯ユニット２０は、貯湯槽２１と混合器２４とを備えている。貯湯槽２１の底部には、貯湯槽２１に水道水を給水する給水経路２２が接続されている。給水経路２２の水道水入口２２ａの近傍には、減圧弁２３が設けられている。給水経路２２には、減圧弁２３の下流側に混合器２４の混合給水経路２６が接続されている。混合給水経路２６には、給水制御弁２６ａが設けられている。減圧弁２３は、貯湯槽２１と混合器２４への給水圧力を調整する。貯湯槽２１内の温水が減少したり、給水制御弁２６ａが開いたりすると、減圧弁２３の下流側圧力が低下する。減圧弁２３は、下流側圧力が低下すると開き、その圧力を所定の調圧値に維持しようとする。このため、貯湯槽２１内の温水が減少したり、混合器２４の給水制御弁２６ａが開いたりすると、これらに水道水が給水される。
【００２３】
給水経路２２において、混合給水経路２６の接続部よりも下流側には、排水経路３１が接続されている。排水経路３１の途中には、排水弁３２が設けられている。排水弁３２は手動で開閉することができる。排水弁３２を開くと、貯湯槽２１内の水が排水経路３１を通じて外部に排水される。
【００２４】
貯湯槽２１の底部には、循環往路３３の一端が接続されており、貯湯槽２１の上部には、循環復路３４の一端が接続されている。循環往路３３の他端は、ヒートポンプユニット４０の循環往路接続経路４８に接続されており、循環復路３４の他端は、循環復路接続経路４９に接続されている。循環往路３３には、往路サーミスタ３６と循環ポンプ３７とが設けられている。往路サーミスタ３６は、貯湯槽２１から循環往路３３に流出した水の温度を検出する。循環ポンプ３７が駆動すると、貯湯槽２１の下部から循環往路３３に水が吸出され、この水が循環水流路４３ｂを流れ、循環復路３４を通じて貯湯槽２１の上部に戻される。このようにして、貯湯槽２１とヒートポンプユニット４０との間の循環経路が構成されている。循環復路３４の途中には、圧力開放経路３８が接続されており、圧力開放経路３８には、リリーフ弁３８ａが設けられている。リリーフ弁３８ａの開弁圧力は、減圧弁２３の調圧値よりも僅かに大きく設定されている。減圧弁２３の調圧が不能になった場合には、リリーフ弁３８ａが開き、貯湯槽２１内の圧力が耐圧可能な圧力を超えるのを防止する。貯湯槽２１では、その上端から所定量（例えば３０リットル）の箇所に上部サーミスタ３９が取り付けられている。上部サーミスタ３９は、貯湯槽２１上部の水温を検出する。
【００２５】
混合器２４は、温水制御弁２５ａと温水流量センサ２５ｂと温水サーミスタ２５ｃと給水流量センサ２６ｂと給水サーミスタ２６ｃと混合サーミスタ（第１検出手段）２７ａと、上記した給水制御弁２６ａを備えている。貯湯槽２１の上部には、混合器２４の温水経路２５が接続されている。温水経路２５には、温水制御弁２５ａと温水流量センサ２５ｂと温水サーミスタ２５ｃが設けられている。温水制御弁２５ａは、貯湯槽２１から温水経路２５へ流れる水の流量を調整する。温水流量センサ２５ｂ及び温水サーミスタ２５ｃは、温水経路２５を流れる水の流量及び温度を検出する。混合給水経路２６には、上記した給水制御弁２６ａと、給水流量センサ２６ｂと給水サーミスタ２６ｃとが設けられている。給水制御弁２６ａは、混合給水経路２６を流れる水道水の流量を調整する。給水流量センサ２６ｂと給水サーミスタ２６ｃは、混合給水経路２６を流れる水道水の流量及び温度を検出する。温水経路２５と混合給水経路２６とは合流して第１混合経路２７に接続されている。第１混合経路２７には、第１混合経路２７を流れる混合水の温度を検出する混合サーミスタ２７ａが設けられている。
【００２６】
貯湯ユニット２０は、第１給湯経路２９を備えている。第１給湯経路２９には、給湯サーミスタ２９ａが設けられている。第１給湯経路２９の先端には、給湯栓６０が接続されている。給湯栓６０は、浴室、洗面所、台所等に配置されている（図１では、これら複数の給湯栓６０を１つで代表している）。第１混合経路２７の途中と第１給湯経路２９の途中は、給湯バイパス経路２８によって接続されている。給湯バイパス経路２８には、バイパス制御弁２８ａが設けられている。バイパス制御弁２８ａを開いた状態では、第１混合経路２７を流れた混合水が給湯バイパス経路２８へ流れ、バイパス制御弁２８ａを閉じた状態では、第１混合経路２７を流れた混合水が、後記する給湯ユニット５０の第２混合経路５１へ流れる。
【００２７】
給湯ユニット５０は、バーナ熱交換器（加熱部）５２とバーナ５３等を備えている。バーナ熱交換器５２の入口側は第２混合経路５１を介して貯湯ユニット２０の第１混合経路２７に接続されている。バーナ熱交換器５２には、第２混合経路５１を通じて混合水が流入する。第２混合経路５１には、入水サーミスタ５１ａと給湯水量センサ５１ｂと水量サーボ５１ｃとが設けられている。入水サーミスタ５１ａと給湯水量センサ５１ｂは、それぞれ第２混合経路５１を流れる水の温度及び流量を検出する。水量サーボ５１ｃは、第２混合経路５１を流れる水の流量を調整する。ガス燃焼式のバーナ５３は、バーナ熱交換器５２を加熱する。バーナ熱交換器５２の出口側は第２給湯経路５４を介して第１給湯経路２９に接続されている。バーナ熱交換器５２を流れた温水は第２給湯経路５４及び第１給湯経路２９を通じて給湯栓６０から給湯される。第２給湯経路５４には、バーナ熱交換器５２の出口近傍に、缶体サーミスタ５５が設けられており、その下流側に出湯サーミスタ（第２検出手段）５６が設けられている。
【００２８】
第２混合経路５１における水量サーボ５１ｃの下流側と、第２給湯経路５４の缶体サーミスタ５５と出湯サーミスタ５６との間には、熱源機バイパス経路５７が接続されている。第２混合経路５１と熱源機バイパス経路５７との接続部には、熱源機バイパス制御弁５８が設けられている。熱源機バイパス制御弁５８の開度を調整することによって、第２混合経路５１を流れる水の一部が熱源機バイパス経路５７に流れるようになる。
【００２９】
コントローラ１１は、ＣＰＵ、ＲＯＭ、ＲＡＭ等を備えている。ＲＯＭ（記憶手段）には試運転プログラムと利用運転プログラムとが格納されている。ＲＡＭには、コントローラ１１に入力される各種信号や、ＣＰＵが処理を実行する過程で生成される種々のデータが一時的に記憶される。詳細には、ＲＡＭには、上記した各種のサーミスタ２５ｃ，２６ｃ，２７ａ，２９ａ，３６，３９，４８ａ，４９ａ，５１ａ，５５，５６及び水量センサ２５ｂ，２６ｂ，５１ｂの検出信号が入力され、これらの情報が一時的に記憶される。コントローラ１１では、ＣＰＵ（制御手段）がＲＯＭやＲＡＭに記憶される情報に基づいて、貯湯ユニット２０及び給湯ユニット５０の各制御弁やヒートポンプユニット４０の各種機器に対して駆動信号を出力する。また、リモコン１３には、給湯システム１０を操作するためのスイッチやボタン、給湯システム１０の動作状態を表示する液晶表示器等が設けられており、リモコン１３で設定された情報がコントローラ１１に入力される。コントローラ１１は、給湯システム１０が試運転と給湯利用運転とを行うように制御する。なお、給湯システム１０では、施工時に試運転が行われ、その後に給湯利用運転が行われるが、ここでは、給湯利用運転から先に説明する。
【００３０】
（給湯利用運転時の動作）
コントローラ１１は、給湯システム１０の利用者に給湯を行う利用運転を制御する。
給湯利用運転プログラムでは、
（１）ヒートポンプユニット４０によって貯湯槽２１の水を加熱して高温の温水とし、この温水を貯湯槽２１に貯湯し；
（２）混合器２４で貯湯槽２１からの貯水（この場合は温水）と水道水とを混合して給湯設定温度Ｔｈの混合水となるように調整し；
（３）混合器２４で給湯設定温度Ｔｈに調整された混合水を給湯バイパス経路２８を通じて給湯栓６０から給湯する第１給湯運転と、混合器２４で給湯設定温度Ｔｈよりも低い温度に調整された混合水を給湯ユニット５０のバーナ熱交換器５２を通過する際に加熱して給湯栓６０から給湯する第２給湯運転を行う。
【００３１】
まず、ヒートポンプユニット４０を稼動することによって、貯湯槽２１に高温の水が貯湯される。ヒートポンプユニット４０では、圧縮機４１で圧縮された熱媒が、第１熱交換器４３の熱媒流路４３ａを流れる際に循環水流路４３ｂを流れる循環水を加熱する。循環水流路４３ｂから流出した熱媒は、膨張弁４４で膨張して冷却され、第２熱交換器４５を流れる際に外気から吸熱して加熱される。外気で加熱された熱媒が圧縮機４１に流入して再び圧縮される。
なお、ヒートポンプユニット４０では、破線矢印に示すように、第２熱交換器４５を除霜するため、一時的に除霜弁４７ａが開いて圧縮機４１から吐出した高温の熱媒が、除霜経路４７を通じて第２熱交換器４５を流れるようにする。
【００３２】
貯湯ユニット２０では、循環ポンプ３７が作動し、貯湯槽２１内の水が貯湯槽２１の底部から循環往路３３に吸出される。循環往路３３に吸出された水は、ヒートポンプユニット４０の第１熱交換器４３の循環水流路４３ｂを通過する際に加熱されて温度上昇する。温度上昇した温水は、循環復路３４を流れて貯湯槽２１の上部に戻される。この循環が行われることによって、貯湯槽２１では、冷水層の上部に高温層が積層した温度成層が形成される。貯湯槽２１に高温の温水が戻され続けると、高温層の厚さ（深さ）は次第に大きくなり、フルに蓄熱された状態では、貯湯槽２１の全体に高温の温水が貯まった状態になる。貯湯槽２１にフルに蓄熱が行われていなくても、温度成層が形成されることにより、貯湯槽２１の上部に接続されている温水経路２５には、高温の温水が送り出される。
【００３３】
第１給湯運転及び第２給湯運転は以下のようにして行われる。貯湯槽２１の上部サーミスタ３９の検出水温が給湯設定温度Ｔｈよりも高い基準温度以上である場合には、第１給湯運転が行われる。第１給湯運転では、コントローラ１１がバイパス制御弁２８ａを開状態とする。コントローラ１１は、混合サーミスタ２７ａで検出される水温が給湯設定温度Ｔｈとなるように、温水制御弁２５ａの開度と給水制御弁２６ａの開度を調整する。給湯設定温度Ｔｈに調整された混合水は、第１混合経路２７を流れた後に、給湯バイパス経路２８及び第１給湯経路２９を通じて給湯栓６０から給湯される。
【００３４】
一方、上部サーミスタ３９の検出水温が前記の基準温度未満である場合には、第２給湯運転が行われる。第２給湯運転では、コントローラ１１が、バイパス制御弁２８ａを全閉状態とし、水量サーボ５１ｃを所定開度に設定する。コントローラ１１は、混合サーミスタ２７ａで検出される水温が給湯設定温度Ｔｈよりも低い温度となるように、温水制御弁２５ａの開度と給水制御弁２６ａの開度を調整する。給湯設定温度よりも低い温度に調整された混合水は、第１混合経路２７を流れ、給湯ユニット５０の第２混合経路５１を流れてバーナ熱交換器５２に流入し、バーナ５３により加熱される。バーナ熱交換器５２では、バーナ熱交換器５２の出口に設けられている缶体サーミスタ５５で検出される水温が６０℃以上となるように制御される。これにより、配管に結露水が発生することを抑制することができる。給湯設定温度Ｔｈが６０℃よりも低い場合には、出湯サーミスタ５６で検出される水温が給湯設定温度Ｔｈとなるように、熱源機バイパス制御弁５８の開度が制御される。これにより、第２混合経路５１を流れる混合水の一部が熱源機バイパス経路５７を通じて第２給湯経路５４に流入し、バーナ熱交換器５２を流れた６０℃以上の温水と、バーナ熱交換器５２を流れていない低温の水とが混合されて給湯設定温度Ｔｈの温水となる。このようにして、給湯設定温度Ｔｈに調温された温水が、第２給湯経路５４と第１給湯経路２９を通じて給湯栓６０から給湯される。これにより、第１給湯運転中に貯湯槽２１に貯湯しておいた温水を消費しつくした場合にも、給湯設定温度Ｔｈに調温された温水を給湯し続けることができる。
【００３５】
第１給湯運転と第２給湯運転とを切り換える場合、コントローラ１１は、バーナ５３を以下のように制御する。第１給湯運転から第２給湯運転への切り換えが行われる場合には、コントローラ１１は、消火している状態のバーナ５３に点火指令を出力する。コントローラ１１は、給湯設定温度Ｔｈよりも低い温度の混合水がバーナ熱交換器５２まで移動したタイミングでバーナ５３を点火させる。すなわち、混合器２４によって温度を低下させた後に流れた給湯量が、混合器２４からバーナ熱交換器５２までの配管容量に等しくなったタイミングでバーナ５３を点火する。本実施例では、混合器２４からバーナ熱交換器５２までの配管容量として、混合サーミスタ２７ａから出湯サーミスタ５６までの配管容量を用いる。詳細には、バーナ５３の点火時期は、後記する降温時配管容量Ｖｗを用いて決定する。なお実際には、バーナ５３の点火指令から点火が開始されるまでにプリパージ動作が行われるため、コントローラ１１では、このプリパージ動作に要する期間をも考慮して、バーナ５３に点火指令を出力する。
【００３６】
一方、第２給湯運転から第１給湯運転への切り換えが行われる場合には、コントローラ１１は、点火している状態のバーナ５３を消火する。コントローラ１１は、給湯設定温度Ｔｈの混合水がバーナ熱交換器５２まで移動したタイミングでバーナ５３を消火する。すなわち、混合器２４によって混合される混合水の温度を上昇させて給湯設定温度Ｔｈとした後に流れた給湯量が、混合器２４からバーナ熱交換器５２までの配管容量に等しくなったタイミングでバーナ５３を消火（加熱運転を停止）する。詳細には、バーナ５３の消火時期は、後記する昇温時配管容量Ｖｈを用いて決定する。バーナ５３は、コントローラ１１から消火指令が出力されたタイミングで消火する。
【００３７】
（試運転時の動作）
上記のように、本実施例の給湯システム１０では、第１給湯運転と第２給湯運転との切り換えの際に、混合サーミスタ２７ａから出湯サーミスタ５６までの配管容量に基づいてバーナ５３の点火時期及び消火時期を決定するようにしている。しかしながら、本実施例の給湯システム１０は、別体の貯湯ユニット２０と給湯ユニット５０とを接続して構築しているため、混合サーミスタ２７ａから出湯サーミスタ５６までの配管容量が予め設定されていない。そこで、本実施例では、給湯システム１０の施工時に試運転プログラムを実行することにより、この配管容量を導出するようにしている。試運転プログラムは、実際の給湯利用時と同様に、給湯栓６０を開いた状態で行われる。
【００３８】
試運転プログラムは、
（１）混合器２４の混合比を変化させ；
（２）混合サーミスタ２７ａによって検出される水温が所定温度に達する時期と出湯サーミスタ５６によって検出される水温が所定温度に達する時期との時間差を特定し；
（３）混合器２４の混合比を変化させた後の水の流量を特定し；
（４）（２）で特定した時間差と、（３）で特定した流量から、混合器２４の出口近傍からバーナ熱交換器５２近傍までの配管容量を導出する処理である。
図２〜図５は、試運転プログラムの実行手順を示すフローチャートである。コントローラ１１は、図２〜図５に示すフローチャートに従って給湯システム１０の試運転を実行する。図６は、試運転プログラム実行中の混合サーミスタ２７ａの検出水温（実線Ａ）と出湯サーミスタ５６の検出水温（破線Ｂ）を示すタイミングチャートである。
【００３９】
図２に示すように、試運転プログラムがスタートすると、まずステップＳ１において、試運転開始条件が成立したか否かが判定される。試運転開始条件の一つには、貯湯槽２１の上部サーミスタ３９の検出水温が給湯設定温度Ｔｈよりも高い基準温度以上となっていることが挙げられる。貯湯槽２１に温水を貯湯するのは、利用運転時と同様に、ヒートポンプユニット４０を稼動させることにより行われる。試運転開始条件の他の一つには、試運転スイッチ１６がＯＮ状態であることが挙げられる。図１に示すように、コントローラ１１に試運転スイッチ１６が設けられており、施工者は施行現場で給湯システム１０を完成した時、あるいはメンテナンスした後に試運転スイッチ１６をＯＮ状態とする。コントローラ１１には、表示画面１７が設けられており、試運転プログラムが実行中であることが表示される。試運転スイッチ１６は、施工時やメンテナンスの際に施工業者によってのみ利用される。試運転ボタン１６をリモコン１３に設けていないため、利用者が給湯利用時等に試運転スイッチ１６を押すことを回避することができる。ステップＳ１の判定は、これらの試運転開始条件が成立するまで繰り返し実行される。
【００４０】
試運転開始条件が成立していると判定されると、ステップＳ２に移る。ステップＳ２では、試運転の初期条件を設定する。図６に示すように、試運転プログラムの実行前（図６の時期ｔ１以前）には、配管の温度が周囲の環境温度の影響を受け、混合サーミスタ２７ａの検出温度（図６のＡ）と出湯サーミスタ５６の検出温度（図６のＢ）が異なることもある。そこで、初期条件の設定では、第１混合経路２７から第２給湯経路５４までに水道水を流通させることにより、配管の温度（混合サーミスタ２７ａと出湯サーミスタ５６の検出温度）の初期値を水道水の温度Ｔｗに一致させる。これにより、試運転プログラムの実行前に配管温度がばらついている場合であっても、配管温度を水道水の温度Ｔｗに一致させ、初期条件を均一化することができる。
【００４１】
初期条件設定は、詳細には、図３に示すフローチャートに従って実行される。図３に示すように、初期条件の設定がスタートすると、ステップＳ２１に移り、温水制御弁２５ａが全閉状態に設定され、給水制御弁２６ａが全開状態に設定され、バイパス制御弁２８ａが全閉状態に設定される。これにより、図１の混合器２４では、貯湯槽２１からの貯水と水道水とが０：１の混合比で混合され、混合器２４で調整される混合水は水道水となる。また、バイパス制御弁２８ａが全閉状態に設定されるため、第１混合経路２７を流れた混合水（水道水）は、第２混合経路５１を流れ、バーナ熱交換器５２を通過した後に、給湯栓６０から流出する。
【００４２】
ステップＳ２２では、水量サーボ５１ｃによって混合水の流量がシャワー流量に調整される。シャワー流量は、概ね８〜１２リットル／ｍｉｎであるが、本実施例では、給湯水量センサ５１ｂで検出される給湯水の流量が１２リットル／ｍｉｎとなるように、水量サーボ５１ｃが調整される。また、試運転プログラムの実行中は、混合水の流量が１２リットル／ｍｉｎに維持されるように、水量サーボ５１ｃが調整される。これは、以下の理由による。シャワー利用時には、給湯温度が安定していることが特に強く要求される。したがって、試運転プログラムでは、給湯温度の安定が特に強く要求されるシャワー利用時と同じ流量の水を通水し、この条件で導出される配管容量に基づいてバーナ５３の点火時期や消火時期を決定すれば、給湯温度の安定が特に強く要求されるシャワー利用時に、給湯温度を安定させることができるからである。次に、ステップＳ２３に移り、出湯サーミスタ５６と給水サーミスタ２６ｃが検出する水温の差が、１℃以下となったか否かが検出される。すなわち、ステップＳ２３では、出湯サーミスタ５６の取り付け位置まで水道水が流れ、配管温度のばらつきがなくなったか否かが判定される。ステップＳ２３で肯定判定がなされると、エンドに移り、図２の試運転プログラムのステップＳ３に移る。
【００４３】
ステップＳ３では、温水モードが実行される。温水モードは、詳細には、図４に示すフローチャートに従って実行される。温水モードが開始すると、まず、ステップＳ３１に移り、給湯設定温度Ｔｈの給湯が行われるように、混合器２４の混合比を制御する。詳細には、混合サーミスタ２７ａで検出される水温が給湯設定温度Ｔｈとなるように、温水制御弁２５ａ及び給水制御弁２６ａの開度が調整される。なお、本実施例では、この給湯設定温度Ｔｈとして、一般的な給湯設定温度４２℃が予め設定されている。図６に示すように、時期ｔ２に温水モードが開始されると、第１混合経路２７から第２給湯経路５４に温水が流れることによって、混合サーミスタ２７ａの検出水温（Ａ）と出湯サーミスタ５６の検出水温（Ｂ）が徐々に上昇する。
【００４４】
次に、ステップＳ３２に移り、混合サーミスタ２７ａで検出される水温が、第１所定温度Ｔ１以上となったか否かが判定される。第１所定温度Ｔ１は、給湯設定温度Ｔｈよりも５℃低い温度、すなわち３７℃に設定される。ステップＳ３２の判定は、混合サーミスタ２７ａで検出される水温が第１所定温度Ｔ１以上となるまで繰り返し行われる。図６に示すように、時期ｔｈ１に、混合サーミスタ２７ａで検出される水温（Ａ）が第１所定温度Ｔ１に達すると、図４のステップＳ３２で、混合サーミスタ２７ａで検出される水温が第１所定温度Ｔ１以上となったと判定される。この判定によりステップＳ３３に移り、この時期ｔｈ１を温水第１時期ｔｈ１として記憶する。
【００４５】
次にステップＳ３４に移り、出湯サーミスタ５６で検出される水温が、第１所定温度Ｔ１以上になったか否かが判定される。ステップＳ３４の判定は、出湯サーミスタ５６で検出される水温が第１所定温度Ｔ１以上となるまで繰り返し行われる。図６に示すように、時期ｔｈ２に出湯サーミスタ５６で検出される水温（Ｂ）が第１所定温度Ｔ１に達すると、図４のステップＳ３４で、出湯サーミスタ５６で検出される水温が第１所定温度Ｔ１以上となったと判定される。この判定によりステップＳ３５に移り、この時期ｔｈ２を温水第２時期ｔｈ２として記憶する。その後、ステップＳ３６に移り、温水第１時期ｔｈ１と温水第２時期ｔｈ２との時間差Δ（ｔｈ２−ｔｈ１）が算出される。
【００４６】
温水モードでは、第１混合経路２７から第２給湯経路５４に給湯設定温度Ｔｈの温水を流すようにしているが、ステップＳ３２及びＳ３４では、混合サーミスタ２７ａ及び出湯サーミスタ５６で検出される水温が給湯設定温度Ｔｈになったか否かを判定するのではなく、給湯設定温度Ｔｈよりも５℃低い第１所定温度Ｔ１となったか否かを判定している。したがって、図６に示すように、混合サーミスタ２７ａ及び出湯サーミスタ５６が検出する水温が、水道水の温度Ｔｗから給湯設定温度Ｔｈに変化する過渡期（グラフＡ，Ｂに示すように単位時間当たりの水温の変化速度が大きい）に第１所定温度Ｔ１に達するため、混合サーミスタ２７ａ及び出湯サーミスタ５６が検出する水温が第１所定温度Ｔ１に達した時期をより正確に特定することができる。そのため、温水第１時期ｔｈ１と温水第２時期ｔｈ２との時間差Δ（ｔｈ２−ｔｈ１）もより正確に特定することができる。
【００４７】
時間差Δ（ｔｈ２−ｔｈ１）が特定された後は、ステップＳ３７に移り、昇温時配管容量Ｖｈが導出される。昇温時配管容量Ｖｈは、温水時間差Δ（ｔｈ２−ｔｈ１）に混合水流量（この実施例ではシャワー流量）を乗算することによって導出される。なお、混合サーミスタ２７ａから出湯サーミスタ５６までの配管容量は、混合サーミスタ２７ａから出湯サーミスタ５６までの配管を流れる水の温度が上昇する場合でも下降する場合でも一定の容量である。しかしながら、水温上昇時と下降時とで配管を流れる放熱量などが異なる場合があり、これらの要因が配管容量の導出に影響を与える場合もある。従って、本実施例では、昇温時配管容量Ｖｈと後記する降温時配管容量Ｖｗとを個別に導出するようにしている。
【００４８】
温水モードで導出される昇温時配管容量Ｖｈは、上記した給湯システム１０の利用運転時において、第２給湯運転から第１給湯運転に変更される際に、バーナ５３の消火時期を決定するために用いられる。すなわち、第２給湯運転では、混合器２４から流出する水の温度が給湯設定温度Ｔｈよりも低く、混合器２４から流出した水がバーナ熱交換器５２を流れる際に加熱される。貯湯槽２１の上部サーミスタ３９の検出水温が上昇し、給湯設定温度Ｔｈよりも高い基準温度以上になると、混合器２４から流出する水の温度が上昇して給湯設定温度Ｔｈに達し、バーナ５３が消火されて第１給湯運転に切り換わる。試運転プログラムの初期条件設定から温水モードに切り換わることによって、第１混合経路２７と第２混合経路５１と第２給湯経路５４を流れる水が水道水から給湯設定温度Ｔｈの水へと切り換わり、これらの配管を流れる水の温度が上昇する状況は、第２給湯運転から第１給湯運転への切り換え時に配管を流れる水の温度が上昇する状況と類似している。したがって、バーナ５３の消火時期を決定するにあたって、この昇温時配管容量Ｖｈを用いることにより、消火時期を適切に決定することができる。
【００４９】
図２において、ステップＳ３の温水モードが終了すると、次に、ステップＳ４に移り、冷水モードを実行する。冷水モードは、詳細には、図５に示すフローチャートに従って実行される。冷水モードが開始されると、ステップＳ４１に示すように、混合器２４で貯湯槽２１からの貯水と水道水との混合比が０：１となるように制御する。すなわち、温水制御弁２５ａを全閉状態に制御し、給水制御弁２６ａを全開状態に制御する。これにより、第１混合経路２７から第２給湯経路５４までには、混合水として再び水道水が流れる。図６では、時期ｔ３に冷水モードが開始されている。
【００５０】
次に、ステップＳ４２に移り、混合サーミスタ２７ａで検出される水温が、第２所定温度Ｔ２以下となったか否かが判定される。第２所定温度Ｔ２は、給水サーミスタ２６ｃで検出される水温よりも５℃高い温度、すなわち、水道水の温度Ｔｗよりも５℃高い温度に設定される。ステップＳ４２の判定は、混合サーミスタ２７ａで検出される水温が第２所定温度Ｔ２以下となるまで繰り返し行われる。図６に示すように、時期ｔｗ１に、混合サーミスタ２７ａで検出される水温（Ａ）が第２所定温度Ｔ２に達すると、図４のステップＳ４２で、混合サーミスタ２７ａで検出される水温が第２所定温度Ｔ２以下となったと判定される。これにより、ステップＳ４３に移り、この時期ｔｗ１を冷水第１時期ｔｗ１として記憶する。
【００５１】
次にステップＳ４４に移り、出湯サーミスタ５６で検出される水温が、第２所定温度Ｔ２以下となったか否かが判定される。ステップＳ４４の判定は、出湯サーミスタ５６で検出される水温が第２所定温度Ｔ２以下となるまで繰り返し行われる。図６に示すように、時期ｔｗ２に、出湯サーミスタ５６で検出される水温（Ｂ）が第２所定温度Ｔ２に達すると、図４のステップＳ４４で、出湯サーミスタ５６で検出される水温が第２所定温度Ｔ２以下となったと判定される。これにより、ステップＳ４５に移り、この時期ｔｗ２を冷水第２時期ｔｗ２として記憶する。その後、ステップＳ４６に移り、冷水第１時期ｔｗ１と冷水第２時期ｔｗ２との時間差Δ（ｔｗ２−ｔｗ１）が算出される。
【００５２】
冷水モードでは、第１混合経路２７から第２給湯経路５４に水道水を流すようにしているが、ステップＳ４２及びＳ４４では、混合サーミスタ２７ａ及び出湯サーミスタ５６で検出される水温が水道水の温度Ｔｗ（給水サーミスタ２６ｃで検出される水温）になったか否かを判定するのではなく、水道水の温度Ｔｗよりも５℃高い第２所定温度Ｔ２となったか否かを判定している。したがって、図６に示すように、混合サーミスタ２７ａ及び出湯サーミスタ５６が検出する水温が、給湯設定温度Ｔｈから水道水の温度Ｔｗに変化する過渡期（グラフＡ，Ｂに示すように単位時間当たりの水温の変化速度が大きい）に第２所定温度Ｔ２に達するため、混合サーミスタ２７ａ及び出湯サーミスタ５６が検出する水温が第２所定温度Ｔ２に達した時期を正確に特定することができる。そのため、冷水第１時期ｔｗ１と冷水第２時期ｔｗ２との冷水時間差Δ（ｔｗ２−ｔｗ１）も正確に特定することができる。
【００５３】
時間差Δ（ｔｈ２−ｔｈ１）が特定された後は、ステップＳ４７に移り、降温時配管容量Ｖｗが導出される。降温時配管容量Ｖｗは、冷水時間差Δ（ｔｗ２−ｔｗ１）に混合水流量（この実施例ではシャワー流量）を乗算することによって導出される。この降温時配管容量Ｖｗは、給湯の利用運転で第１給湯運転から第２給湯運転に変更される際に、バーナ５３の点火時期を決定するために用いられる。すなわち、第１給湯運転では、混合器２４から流出する水の温度が給湯設定温度Ｔｈであり、貯湯槽２１の上部サーミスタ３９の検出水温が低下すると、混合器２４から流出する水の温度も低下して給湯設定温度Ｔｈよりも低くなり、バーナ５３が点火される。温水モードの終了後に冷水モードへ切り換えると、第１混合経路２７と第２混合経路５１と第２給湯経路５４には、給湯設定温度Ｔｈの温水が流れる状態から水道水が流れる状態へと変化するため、これらの配管を流れる混合水の温度が低下する。この状況は、第１給湯運転から第２給湯運転への切り換えの状態と類似している。したがって、バーナ５３の点火時期を決定するにあたり、この降温時配管容量Ｖｗを用いることにより、点火時期を適切に決定することができる。以上のようにして、冷水モードが終了し、図２の試運転プログラムも終了する。
【００５４】
本実施例では、施工時に実施する試運転プログラムによって、混合サーミスタ２７ａから出湯サーミスタ５６までの配管容量として、昇温時配管容量Ｖｈ及び降温時配管容量Ｖｗが導出される。そして、給湯の利用運転時には、昇温時配管容量Ｖｈを用いてバーナ５３の消火時期を決定し、降温時配管容量Ｖｗを用いてバーナ５３の点火時期を決定するようにしている。特に、本実施例では、施工時に貯湯ユニット２０と給湯ユニット５０とを組み立てるため、その配管容量Ｖを予め把握することができない。しかしながら、本実施例によれば、利用者が給湯システムを利用するのに先立って、混合器２４の出口近傍からバーナ熱交換器５２までの配管容量を導出することができる。したがって、利用者が給湯システム１０を利用する際には、既に導出されている配管容量Ｖに基づいてバーナ熱交換器５２を加熱するバーナ５３の点火及び消火時期を適切に決定することができる。
【００５５】
（実施例１の変形例）
図２のステップＳ２の初期条件設定では、図３のステップＳ２３で、出湯サーミスタ５６の検出水温と給水サーミスタ２６ｃの検出水温が１℃以下となったら、エンドに移り、図２のステップＳ３の温水モードに移るようにしている。しかしながら、図３のステップＳ２３では、出湯サーミスタ５６の検出水温と給水サーミスタ２６ｃの検出水温が１℃以下となってから所定期間（例えば数秒）が経過したか否かを判定するようにしてもよい。
また、図２のステップＳ２の温水モードからステップＳ３の冷水モードに移る際にも、出湯サーミスタ５６の検出水温が給湯設定温度Ｔｈとなってから所定期間（数秒）経過したことを条件に、冷水モードに移るようにしてもよい。
これにより、配管を流れる水温を安定化させた後に他のモードに切り換えることができるため、混合サーミスタ２７ａ及び出湯サーミスタ５６によって検出される水温が所定温度に達するまでに要する期間が安定化する。混合サーミスタ２７ａ及び出湯サーミスタ５６によって検出される水温が所定温度に達する時期の時間差をより正確に特定することができる。
【実施例２】
【００５６】
次に実施例２の給湯システムを図７に基づいて説明する。実施例２の給湯システム１０は、図１に示す実施例１と同じ構造である。本実施例では、上記実施例１が図２のフローチャートに従って試運転プログラムが行われていたことに代わり、図７のフローチャートに従って試運転プログラムが行われる。
実施例２の試運転プログラムにおいて、図７のフローチャートに示すステップＳ１１〜ステップＳ１４は、上記実施例１の試運転プログラムのステップＳ１〜Ｓ４と同じ処理である。本実施例では、ステッＳ１４の冷水モードが実行された後に、ステップＳ１５に移り２回目の温水モードが実行される。２回目の温水モードでは、図４に示す一連の処理が行われ、２回目の温水モードでの昇温時配管容量Ｖｈが導出される。さらに、２回目の温水モードでは、ステップＳ１３の先の温水モードで導出された昇温時配管容量Ｖｈと、ステップＳ１５の今回の温水モードで導出される昇温時配管容量Ｖｈとが平均化される処理が行われる。給湯の利用運転時にバーナ５３の消火時期を決定する場合には、この平均化された昇温時配管容量Ｖｈが用いられる。
【００５７】
また、本実施例では、ステッＳ１５の温水モードが実行された後に、ステップＳ１６に移り２回目の冷水モードが実行される。そして２回目の冷水モードでは、図５に示す一連の処理が行われ、２回目の冷水モードでの降温時配管容量Ｖｗが導出される。さらに、２回目の冷水モードでは、ステップＳ１４の先の冷水モードで導出された降温時配管容量Ｖｗと、ステップＳ１５の今回の温水モードで導出される降温時配管容量Ｖｗとが平均化される処理が行われる。給湯の利用運転時にバーナ５３の点火時期を決定する場合には、この平均化された降温時配管容量Ｖｗが用いられる。
【００５８】
以上のように、本実施例では、温水モードと冷水モードが、それぞれ複数回実行され、各温水モード又は冷水モードで導出された配管容量を平均化した値をバーナ５３の点火時期や消火時期を決定するために用いるようにしている。これにより、導出される昇温時配管容量Ｖｈ及び降温時配管容量Ｖｗの誤差を低減することができる。
なお、本実施例では、温水モードと冷水モードとをそれぞれ２回ずつ実行するようにしているが、３回以上実行するようにしてもよい。温水モードと冷水モードの実行回数が多いほど、導出される昇温時配管容量Ｖｈ及び降温時配管容量Ｖｗの誤差をより低減することができる。
【００５９】
（その他の実施例）
上記各実施例では、試運転プログラムの温水モード実行中の給湯設定温度Ｔｈとして、一般的な給湯設定温度（４２℃）が予め設定されている。しかしながら、試運転を行う施工者によりコントローラ１１の操作ボタンなどによって給湯設定温度が変更されるようにしてもよい。また、実施例２のように温水モードが複数回実行される場合には、１回目の温水モードと２回目の温水モードで給湯設定温度Ｔｈが異なる温度となるように予め設定されていてもよい。また、施工者によって、各温水モードの給湯設定温度Ｔｈを変化させることができる構成であってもよい。このようにして昇温時配管容量Ｖｈを導出することによって、給湯の利用運転時に複数の給湯設定温度Ｔｈが設定された場合でも、バーナ５３の点火時期や消火時期を適切に決定することができる。また複数パターンの温水モードを実行することで、昇温時配管容量Ｖｈの誤差をより低減することができる。
【００６０】
上記各実施例では、昇温時配管容量Ｖｈと降温時配管容量Ｖｗのそれぞれを、バーナ５３の消火時期と点火時期とを決定するために個別に用いたが、昇温時配管容量Ｖｈと降温時配管容量Ｖｗとを平均化した配管容量をバーナ５３の消火時期と点火時期を決定するために用いるようにしてもよい。また、この配管容量をその他の制御に用いるようにしてもよい。
上記各実施例では、バーナ熱交換器５１近傍の水温を検出する第２検出手段として出湯サーミスタ５５を用いているが、第２検出手段として入水サーミスタ５１ａを用いるようにしてもよい。なお、出湯サーミスタ５６の検出水温に基づいて配管容量を導出した場合には、バーナ熱交換器５１の容量も含む配管容量を導出することができるため、この配管容量に基づいてバーナ５３の点火及び消火時期を決定することにより、混合器２４で調整温度が変更された混合水がバーナ熱交換器５１を通過した後にバーナ５３の点火及び消火が行われる。
【００６１】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００６２】
１０：給湯システム
１１：コントローラ
１３：リモコン
１６：試運転スイッチ
１７：表示画面
２０：貯湯ユニット
２１：貯湯槽
２２：給水経路
２２ａ：水道水入口
２３：減圧弁
２４：混合器
２５：温水経路
２５ａ：温水制御弁
２５ｂ：温水流量センサ
２５ｃ：温水サーミスタ
２６：混合給水経路
２６ａ：給水制御弁
２６ｂ：給水流量センサ
２６ｃ：給水サーミスタ
２７：第１混合経路
２７ａ：混合サーミスタ
２８：給湯バイパス経路
２８ａ：バイパス制御弁
２９：第１給湯経路
２９ａ：給湯サーミスタ
３１：排水経路
３２：排水弁
３３：循環往路
３４：循環復路
３６：往路サーミスタ
３７：循環ポンプ
３８：圧力開放経路
３８ａ：リリーフ弁
３９：上部サーミスタ
４０：ヒートポンプユニット
４１：圧縮機
４２：四方弁
４３：第１熱交換器
４３ａ：熱媒流路
４３ｂ：循環水流路
４４：膨張弁
４５：第２熱交換器
４５ａ：ファン
４６：熱媒配管
４７：除霜経路
４７ａ：除霜弁
４８：循環往路接続経路
４８ａ：入口側サーミスタ
４９：循環復路接続経路
４９ａ：出口側サーミスタ
５０：給湯ユニット
５１：第２混合経路
５１ａ：入水サーミスタ
５１ｂ：給湯水量センサ
５１ｃ：水量サーボ
５２：バーナ熱交換器
５３：バーナ
５４：第２給湯経路
５５：缶体サーミスタ
５６：出湯サーミスタ
５７：熱源機バイパス経路
５８：熱源機バイパス制御弁
６０：給湯栓
【図１】
2011185564.tif 000003
【図２】
2011185564.tif 000004
【図３】
2011185564.tif 000005
【図４】
2011185564.tif 000006
【図５】
2011185564.tif 000007
【図６】
2011185564.tif 000008
【図７】
2011185564.tif 000009